(57)【要約】  吸着装置、システム、及び方法が提供される。一実施形態では、吸着装置は、布地と吸着錯体を含む。吸着錯体は、布地の表面に少なくとも部分的に付着され、布地を通過する液体から物質を選択的に吸着して液体から物質の少なくとも一部を除去するために反応性である。一実施形態では、吸着装置は、血液の化学的性質を変化させることなく血液透析患者の血液からリン酸塩を濾過するように適合された体外血液回路内に組み込むことができる。
2013524949.tif 000002
【特許請求の範囲】
【請求項１】
フィルター布地と、
前記フィルター布地の表面に少なくとも部分的に付着され、前記フィルター布地を通過して濾過される血液からリン酸塩を選択的に吸着して前記血液からリン酸塩を除去するために反応性である吸着錯体と、
を含む、血中リン酸塩レベルを低下させるための吸着装置。
【請求項２】
前記吸着装置は、前記血液の化学的性質を変化させることなく前記血液からリン酸塩を濾過するために適合される、請求項１に記載の吸着装置。
【請求項３】
前記吸着錯体はトリメシン酸（ＴＭＡ）を含む、請求項１に記載の吸着装置。
【請求項４】
前記吸着錯体はアルミナをさらに含む、請求項３に記載の吸着装置。
【請求項５】
前記吸着錯体はリン酸塩結合タンパク質を含む、請求項１に記載の吸着装置。
【請求項６】
前記リン酸塩結合タンパク質は、リン酸塩結合領域を含むペプチド配列を含む、請求項５に記載の吸着装置。
【請求項７】
前記リン酸塩結合タンパク質は、樹脂ビーズに結合される、請求項６に記載の吸着装置。
【請求項８】
前記吸着装置は、体外血液回路中の血液からリン酸塩を濾過するために適合された血液吸着装置を含む、請求項７に記載の吸着装置。
【請求項９】
前記フィルター布地は、ポリエステル布地、非ポリエステル布地、織布ポリエステル単繊維、ポリマー及びフィラメント、又はこれらの組み合わせからなる群から選択される濾過性布地を含む、請求項１に記載の吸着装置。
【請求項１０】
前記吸着錯体は、アルミナ又は水酸化アルミニウムを含むことを特徴とする、請求項１に記載の吸着装置。
【請求項１１】
前記吸着錯体は、透析器を流れる透析液からリン酸塩を選択的に吸着するために反応性である、請求項１に記載の吸着装置。
【請求項１２】
布地を提供することと、
前記布地の表面に、水溶液から物質を選択的に吸着するために反応性である吸着錯体をグラフトすること、
を含む、吸着装置を提供する方法。
【請求項１３】
吸着錯体を前記布地基材の表面にグラフトすることは、
前記布地にアルミナ粉末を含ませることと、
前記含ませた布地を、加熱された加圧プレート内で加圧することと、  前記加圧された布地を、トリメシン酸（ＴＭＡ）溶液中に浸漬すること、
を含む、請求項１２に記載の方法。
【請求項１４】
前記吸着錯体を前記布地基材の表面にグラフトすることは、前記布地表面上に吸着タンパク質をグラフトするためのアミン部位を創出するように適合されたガスプラズマ処理又はエチレンジアミン（ＥＤ）アミノリシスにより、前記布地上に前記吸着タンパク質をグラフトすることを含む、請求項１２に記載の方法。
【請求項１５】
前記吸着錯体を前記布地基材の表面にグラフトすることは、リン酸塩結合タンパク質を前記布地基材の表面上に直接合成することを含む、請求項１２に記載の方法。
【請求項１６】
前記吸着錯体を前記布地基材の表面にグラフトすることは、リン酸塩結合タンパク質を樹脂ビーズに結合させることを含む、請求項１２に記載の方法。
【請求項１７】
前記吸着錯体を前記布地基材の表面にグラフトすることは、アルミナ粒子を前記布地基材上に熱スプレーすることを含む、請求項１２に記載の方法。
【請求項１８】
前記吸着錯体を前記布地基材の表面にグラフトすることは、大気プラズマを用いて前記布地の表面を処理することと、前記布地をトリメシン酸（ＴＭＡ）溶液に暴露することを含む、請求項１２に記載の方法。
【請求項１９】
請求項１２に記載の方法によって提供される濾過装置。
【請求項２０】
血液を処理する方法であって、
少なくとも部分的に布地で構成されるフィルターであって、吸着錯体は前記布地の表面にグラフトされていることを特徴とするフィルターを含む血液濾過装置を提供することと、
前記血液を前記血液濾過装置と接触させることにより、前記血液が前記フィルターを通過するときに前記血液から物質を選択的に除去すること、を含む方法。
【請求項２１】
前記物質は、他の血中化学化合物に実質的に影響を及ぼすことなく選択的に除去されるリン酸塩を含む、請求項２０に記載の方法。
【請求項２２】
前記フィルターはフィルター・カートリッジを含む、請求項２０に記載の方法。
【請求項２３】
前記フィルター・カートリッジは再利用可能である、請求項２２に記載の方法。
【請求項２４】
前記布地は、ポリエステル布地、非ポリエステル布地、織布ポリエステル単繊維、ポリマー及びフィラメント、又はこれらの組み合わせからなる群から選択される、請求項２０に記載の方法。
【請求項２５】
前記吸着錯体は、熱スプレー・プロセスにより前記布地の表面にグラフトされる、請求項２４に記載の方法。
【請求項２６】
前記吸着錯体は、加圧プロセスにより前記布地の表面にグラフトされる、請求項２４に記載の方法。
【請求項２７】
前記吸着錯体は、ペプチド配列合成プロセスにより前記布地の表面にグラフトされるリン酸塩吸着タンパク質を含む、請求項２４に記載の方法。
【請求項２８】
前記ペプチド配列合成プロセスは、前記布地表面上に前記リン酸塩吸着タンパク質をグラフトするためのアミン部位を創出するように適合されたプラズマ処理又はエチレンジアミン（ＥＤ）アミノリシスを使用することを含む、請求項２７に記載の方法。
【請求項２９】
血液を処理する方法であって、
布地と、
前記布地の表面に少なくとも部分的に付着された吸着錯体と、
を含む吸着装置を提供することと、
前記吸着装置を体外血液回路内に配置することと、
血液を前記吸着装置と接触させ、前記血液からリン酸塩を選択的に除去すること、を含む方法。
【請求項３０】
前記吸着装置は透析器の上流に配置される、請求項２９に記載の方法。
【請求項３１】
前記吸着装置は透析器の下流に配置される、請求項２９に記載の方法。
【請求項３２】
前記吸着装置は透析器と一体形成されることを特徴とする、請求項２９に記載の方法。
【請求項３３】
前記透析器は平板型透析器を含む、請求項３２に記載の方法。
【請求項３４】
前記透析器は中空繊維型透析器を含む、請求項３１に記載の方法。
【請求項３５】
前記透析器は血液フィルターを含む、請求項３２に記載の方法。
【請求項３６】
吸着システムであって、
布地と、
前記布地の表面に少なくとも部分的に付着され、水溶液から物質を選択的に吸着するために反応性である吸着錯体と、
を含む吸着装置と、
前記吸着装置の周囲に配置されるハウジングと、を含む吸着システム。
【請求項３７】
前記吸着システムは、前記水溶液からリン酸塩を選択的に吸着するように適合される、請求項３６に記載の吸着システム。
【請求項３８】
前記吸着システムは、血液の化学的性質を変化させることなく前記血液からリン酸塩を濾過するために適合される、請求項３６に記載の吸着システム。
【請求項３９】
前記吸着錯体はトリメシン酸（ＴＭＡ）を含む、請求項３６に記載の吸着システム。
【請求項４０】
前記吸着錯体はアルミナをさらに含む、請求項３９に記載の吸着システム。
【請求項４１】
前記吸着錯体はリン酸塩結合タンパク質を含む、請求項３６に記載の吸着システム。
【請求項４２】
前記リン酸塩結合タンパク質は、リン酸塩結合領域を含むペプチド配列を含む、請求項４１に記載の吸着システム。
【請求項４３】
前記リン酸塩結合タンパク質は、樹脂ビーズに結合される、請求項４１に記載の吸着システム。
【請求項４４】
前記吸着錯体はアルミナを含む、請求項３６に記載の吸着システム。
【請求項４５】
前記ハウジングは透析器を含む、請求項３６に記載の吸着システム。
【請求項４６】
前記布地は、ポリエステル布地、非ポリエステル布地、織布ポリエステル単繊維、ポリマー及びフィラメント、又はこれらの組み合わせからなる群から選択される濾過性布地を含む、請求項３６に記載の吸着システム。
【請求項４７】
前記吸着錯体は水酸化アルミニウムを含む、請求項３６に記載の吸着システム。
【請求項４８】
前記吸着装置は、体外血液回路中の透析液からリン酸塩を濾過するように適合される、請求項３６に記載の吸着システム。
【請求項４９】
布地と、
前記布地の表面に少なくとも部分的に付着され、前記布地を通過する液体から物質を選択的に吸着して前記液体から前記物質の少なくとも一部を除去するために反応性である、吸着錯体と、
を含む、吸着装置。
【請求項５０】
前記物質はリン酸塩を含む、請求項４９に記載の吸着装置。
【請求項５１】
前記吸着錯体はトリメシン酸（ＴＭＡ）を含む、請求項４９に記載の吸着装置。
【請求項５２】
前記吸着錯体はアルミナをさらに含む、請求項５１に記載の吸着装置。
【請求項５３】
選択的有機イオン吸着のためにペプチド配列が前記布地にグラフトされる、請求項４９に記載の吸着装置。
【請求項５４】
前記吸着錯体はリン酸塩結合タンパク質を含む、請求項４９に記載の吸着装置。
【請求項５５】
前記リン酸塩結合タンパク質は、リン酸塩結合領域を含むペプチド配列を含む、請求項５４に記載の吸着装置。
【請求項５６】
前記リン酸塩結合タンパク質は、樹脂ビーズに結合される、請求項５５に記載の吸着装置。
【請求項５７】
前記吸着装置は、血液中の化学的性質を変化させることなく前記血液からリン酸塩を濾過するために適合される、請求項４９に記載の吸着装置。
【請求項５８】
前記吸着装置は、血液透析患者の血液からリン酸塩を濾過するように適合された体外血液回路内に組み込まれる、請求項４９に記載の吸着装置。
【請求項５９】
前記布地基材は、ポリエステル布地、非ポリエステル布地、織布ポリエステル単繊維、ポリマー及びフィラメント、又はこれらの組み合わせからなる群から選択される濾過性布地を含む、請求項４９に記載の吸着装置。
【発明の詳細な説明】
【発明の詳細な説明】
【０００１】
［関連出願］
本出願は、２０１０年４月２０日に出願された米国特許仮出願第６１／３２６，０９３号の利益を主張し、その開示はその全体が参照により本明細書に援用される。
［政府の権利］
本明細書にて開示された主題は、米国立研究資源センター（Ｎａｔｉｏｎａｌ  Ｃｅｎｔｅｒ  ｆｏｒ  Ｒｅｓｅａｒｃｈ  Ｒｅｓｏｕｒｃｅｓ）からの助成金番号ＵＬ１ＲＲ０２５７４７、ノースカロライナ大学（ＵＮＣ）国立衛生研究所（ＮＩＨ：Ｎａｔｉｏｎａｌ  Ｉｎｓｔｉｔｕｔｅ  ｏｆ  Ｈｅａｌｔｈ）臨床及びトランスレーショナル科学資金（ＣＴＳＡ：Ｃｌｉｎｉｃａｌ  ａｎｄ  Ｔｒａｎｓｌａｔｉｏｎａｌ  Ｓｃｉｅｎｃｅ  Ａｗａｒｄ）からの助成金番号０９−１４５５、ＵＮＣ  ＮＩＨ  ＣＴＳＡからの助成金番号５０ＫＲ４１０１２の下、米国政府の支援によりなされた。従って、米国政府は、本明細書にて開示した主題に一定の権利を有する。
［技術分野］
本明細書にて開示された主題は、吸着装置、システム、及び方法に関する。より詳細には、本明細書にて開示された主題は、例えば液体中に存在する望ましくない材料を、前記液体中に存在し得る他の化学的濃度を変化させることなく、選択的且つ少なくとも部分的に吸着するための、吸着装置、システム、及び方法に関する。
［背景］
一般的に、廃水、自然水体、血液、及び体液などの様々な液体中には、物質などの望ましくない材料が存在し得る。望ましくない材料の一例として、血液又は廃水中に存在するリン酸塩イオンが挙げられる。廃水からのリン酸塩は、自然水体における主要な有機汚染源に貢献している。リン酸塩イオンのレベルが上昇すると、高リン血症として知られる病態となる。高リン血症は、血液中の電解質障害であり、透析患者に多く見られる。例えば、血液透析患者、又は透析患者の９０％は、血中リン酸塩レベルが上昇する。高リン血症は、血液透析患者の高い罹患率と死亡率に関連している。現時点では、血中リン酸塩レベルを下げるために食事制限と経口リン酸塩結合剤投与が処方されているが、必ずしも効果的ではない。
【０００２】
リンは、食事を介して患者に取り入れられ、本質的に食事タンパク質に関係している。患者におけるリン酸塩レベルは、リン酸塩の摂取を制限する厳格な食事を厳守し、及び／又は経口リン酸塩結合剤を使用するなどの、従来の方法を用いて下げることができる。また、血液透析中に、リン酸塩レベルをある程度下げることができる。しかし、タンパク質不足は死亡リスクを高めるため、タンパク質の摂取量を減らすことによりリン酸塩負荷を下げるのは逆効果を招きかねない。従って、食事タンパク質の摂取量を維持しながら血中リン酸塩を制御するメカニズムが最適である。リン酸塩結合剤投与等の従来の治療法であっても、血液透析患者の約５０％が依然として高リン血症に罹患し得る。例えば酢酸カルシウム（Ｐｈｏｓｌｏ（登録商標））、セベラマー塩酸塩（ＲｅｎａＧｅｌ（登録商標））及び炭酸ランタン（Ｆｏｓｒｅｎｏｌ（登録商標））等の経口リン酸塩結合剤は、限定された結合力（４０〜５０％）、患者の服薬遵守不良、及び望ましくない副作用などの負の特性を有する。
【０００３】
血液透析によって血中リン酸塩が若干低下する。血液透析は、末期腎不全（ＥＳＲＤ）患者及び／又はその他の腎臓疾患患者を治療するために医療分野で使用される技術である。血液透析中、血液は体から移され、血液透析システムを介して外部で処理される。血液透析システムは、患者の体から血液を抽出し、透析器に血液を供給して血液中の老廃物を除去し、浄化された血液を患者の体内に戻すための、一つづきの、又は回路を形成する、１つ以上の装置を含み得る。透析器は、腎臓病患者の血液を浄化するための「人工腎臓」として機能する装置を含み、当該技術分野において周知である。透析処置中のリン除去は、単純な拡散の受動的プロセスにより支配されている。これにより、溶質は高濃度から低濃度への濃度勾配に従う。さらに、現在の透析条件は、あるレベルのリン酸塩除去の達成に基づいて処方されていない。推奨される４時間の血液透析セッションの間、１セッションあたり４時間平均合計８００ｍｇに対し、最初の３０分で約１５０ｍｇのリンが除去され、最後の３０分でわずか６５ｍｇが除去される。その結果、リンの正味の正のバランスは、１１２８ｍｇ／週、及び少なくとも１６０ｍｇ／日である。この正のバランスを回避するため、週３日の血液透析セッションの間、リンの除去を１セッションあたり約３７６ｍｇまで増やす必要がある。
【０００４】
従って、リン酸塩が多いことに伴う死亡の発生を抑制するために血液透析患者における血中リン酸塩レベルを制御する吸着装置、システム、及び方法が必要とされている。一態様において、患者の食事制限及び／又は薬剤投与の順守への依存を減少させることができ、自己負担の薬物治療費用を抑えることができ、且つ薬剤投与に関連した副作用を回避できるため、既存の血液透析回路に組み込むことができる吸着装置、システム、及び方法が望ましい。
［概要］
一態様によれば、本明細書に記載された主題は吸着装置を含む。吸着装置は、布地基材と、布地基材の表面に化学的にグラフトされた又は物理的に接着された吸着錯体フィニッシュを含むことができる。吸着錯体は、液体中に存在する望ましくないイオンを吸着するにように構成され得る。一実施形態では、例えば血液等の体液中で見られる望ましくない濃度の物質は、記載された吸着装置、方法、及びシステムにより濾過又は吸着することができる。本発明で使用する場合、「血液吸着」及び「血液濾過」という用語は、吸着装置及び／又はシステム上に物質を吸着することにより、血液から望ましくない物質を除去することを示す。「血液吸着」及び「血液濾過」という用語は、本出願において同じ意味で用いることができる同義語である。
【０００５】
本発明で使用する場合、「選択的」吸着化合物という用語は、望ましくない又は標的化された物質、不純物又は粒子を特に標的化又は吸着して水溶液から粒子を除去するための、特定の化学構成を有する化合物を含むことができる。例えば、選択的吸着化合物は、リン酸塩を特に標的化して水溶液からリン酸塩を除去するための化学構成を有する化合物を含み得る。本明細書にて開示された吸着装置、方法、及び／又はシステムは、特定又は非特定の不純物を除去するために化学的にグラフトされ得る選択的及び／又は非選択的吸着化合物を含み得る。
【図面の簡単な説明】
【０００６】
本明細書に記載された主題の好ましい実施形態について、添付の図面を参照しながら説明する。
【図１】本明細書に記載された主題の実施形態の吸着装置を作製する際の、実現可能な工程を示す図である。
【図２】本明細書に記載された主題の実施形態の吸着装置を作製するために使用される処理装置を示す概略図である。
【図３Ａ−３Ｅ】本明細書に記載された主題の実施形態の吸着装置の走査型電子顕微鏡（ＳＥＭ）画像である。
【図４】本明細書に記載された主題の実施形態の吸着錯体を使用して処理するための既存織物の表面を調製するために用いられる処理装置を示す図である。
【図５】本明細書に記載された主題の実施形態の吸着装置を用いたリン酸塩吸着の量及び／又は割合を示すグラフ説明図である。
【図６】本明細書に記載された主題の実施形態の吸着装置を用いたリン酸塩吸着の量及び／又は割合を示すグラフ説明図である。
【図７】本明細書に記載された主題の実施形態の吸着装置を用いたリン酸塩吸着の量及び／又は割合を示すグラフ説明図である。
【図８】本明細書に記載された主題の実施形態の吸着装置を用いたリン酸塩吸着の量及び／又は割合を示すグラフ説明図である。
【図９】本明細書に記載された主題の実施形態の吸着方法を示す概略図である。
【図１０】ｉｎ  ｖｉｖｏの血液透析回路と、本明細書に記載された主題の実施形態の吸着システムを表す吸着装置の配置を示す概略図である。
【図１１】本明細書に記載された主題の実施形態の吸着システムを示している。
【図１２】本明細書に記載された主題の実施形態の吸着システムの概略図である。
【図１３】本明細書に記載された主題の実施形態の吸着システム及び／又は装置を用いた、望ましくない物質の吸着方法の工程を示すフローチャートである。
【発明を実施するための形態】
【０００７】
［詳細な説明］
本明細書にて開示された主題によれば、吸着装置、システム、及び方法が提供される。ここで、本明細書における主題の実現可能な態様又は実施形態を詳細に参照し、その１つ以上の実施例を図に示す。各実施例は、主題を説明するために提供され、制限するものとしては提供されない。実際に、１つの実施形態の一部として示され又は記載された特徴は、さらなる実施形態をさらに達成するために別の実施形態で使用されてもよい。本明細書にて開示及び想定された主題は、このような変更及び変化を網羅することが意図されている。
【０００８】
様々な図に示されるように、構造又は部分のいくつかのサイズは、例証の目的のために他の構造又は部分と比べて拡大されており、従って、本主題の一般的構造を示すために提供される。さらに、「上に」、「上方に」、「上部」、「下部」、又は「底部」などの相対的な用語は、本明細書において、各図に示された１つの構造又は部分の他の構造又は部分に対する関係を示すために使用される。さらに、「上に」、「上方に」、「上部」、「下部」、又は「底部」などの相対的な用語は、各図に示された方向に加え、その装置の様々な方向を含むことが意図されていることを理解するであろう。例えば、各図の装置がひっくり返っている場合、他の構造又は部分の「上方に」あるものとして記載された構造又は部分は、他の構造又は部分の「下方に」方向付けられよう。同様に、各図の装置が軸に沿って回転している場合、他の構造又は部分の「上方に」あるものとして記載された構造又は部分は、他の構造又は部分の「隣に」又は「左に」方向づけられよう。同様の数字は全体を通して同様の要素を参照する。
【０００９】
ここで図１を参照すると、吸着装置１０が図示されている。一実施形態では、吸着装置１０は、既存の織物１２を吸着表面処理１４で処理することにより形成された吸着繊維を含むことができる。一実施形態では、吸着表面処理１４は、既存の織物１２を、トリメシン酸（ＴＭＡ）のみ及び／又はアルミナと錯体を形成したＴＭＡ、アルミナのみ、（図２及び３を参照）又は水酸化アルミニウム、又は本明細書でさらに記載される水酸化アルミニウム沈殿物と結合させる又は化学的にドラフトすることを含むことができるが、これに限定されない。他の実施形態では、吸着表面処理１４は、既存の織物１２を、周囲アミノ酸及び結合領域を有する又は有さないペプチド配列等のリン酸塩結合タンパク質と合成することを含む。このような結合タンパク質は、リン酸塩を選択的に吸着するための特定のリン酸塩結合領域を含むことができる。結合領域は、リン酸塩結合タンパク質の一部である。総タンパク質、結合領域、又はこれらの両方は、既存の織物１２に結合させることができる。さらに、総タンパク質の一部である結合領域と周囲アミノ酸は、既存の織物に結合させることができる。
【００１０】
新規な織物仕上げプロセスを使用して、既存のフィルター布地及び／又はその他の濾過プラットフォーム上に選択的吸着化合物を結合させ、安全で効率的な吸着装置１０を作製することができる。一実施形態では、吸着化合物は、リン酸塩を選択的に吸着するための化合物を含むことができる。例えば、吸着装置１０は、血液透析中に血液を濾過するための吸着血液フィルター布地を含むことにより、リン酸塩は布地上に吸着され、血液から効果的に除去することができる。一実施形態では、フィルター・システム内で吸着装置１０を用いることにより（図１０〜１２）、患者における高リン血症を治療することができる。また、吸着装置１０は、家庭用廃水を濾過してリン酸塩又は任意の望ましくないイオンや汚染物質を吸着することにより、廃水が湾、湖、及び／又はその他の水体に到達する前に主要な有機汚染源を除去するためのフィルター布地をさらに含むことができる。また、吸着装置１０は、有害な粒子及び／又は汚染物質を布地上に吸着して体及び／又は体液から汚染物質を効果的に除去するための、敗血症／敗血症性ショック及び急性肝臓疾患の治療用フィルター布地をさらに含むことができる。本明細書に記載された吸着装置、システム、及び方法は、任意の汚染された、又は汚染される可能性のある供給源を処理するために用いることができる。
【００１１】
布地１２は、任意のタイプの布地、織物材料、又は布地基材、又は繊維性材料或いは基材を含むことができる。布地１２は、織布又は不織布の繊維性基材を含むことができる。一態様では、既存の織物１２は、例えば、ポリエチレンテレフタレート（ＰＥＴ）等の医療用グレードのポリエステル織布単繊維フィルター布地を含むことができるが、これに限定されない。他の態様では、既存の織物１２は、ポリエステル布地、非ポリエステル布地、織布ポリエステル単繊維、ポリマー及びフィラメント、又はこれらの組み合わせを含むことができる。しかし、任意の好適な布地が検討される。既存のフィルター布地１２は、吸着表面処理１４を行うことにより、吸着布地、又は永久的に結合するリン酸塩選択的吸着メカニズム又は錯体によって強化された吸着装置１０に変換することができる。吸着表面処理１４は、血液フィルター布地等の既存のフィルター布地に選択的吸着化合物を化学的にグラフト又は物理的に付着させることにより吸着装置を形成するための新規な表面処理を含むことができる。布地表面に吸着錯体を化学的にグラフトさせることにより、化学反応吸着錯体が、血液又は水を含むがこれに限定されない水溶液から、任意の好適な物質、化学材料、又は標的イオンを選択的且つ永久的に吸着することが可能となる。吸着錯体によって吸着される物質は、例えば、リン酸塩又は有毒な金属イオン等の不必要な化学材料を含むことができる。一態様では、吸着表面処理１４は、既存の血液フィルター・カートリッジの布地に吸着化合物を化学的にグラフトすることにより吸着システムを形成するための新規な表面処理を含む（例えば、図９〜１１）。一実施形態では、吸着表面処理１４は、既存の織物１２を、リン選択的吸着仕上げを有する医療用グレードの布地を含む吸着装置１０に変換することができる。すなわち、吸着装置１０を用いて、供給源である水溶液からリン酸塩イオン又は粒子を吸着することを特に標的化してもよい。
【００１２】
さらに、このアプローチは、生物学的治療薬からの内毒素及び宿主細胞ＤＮＡ除去等の下流用途に拡張することができる。現在、アニオン交換クロマトグラフィーの後に内毒素を除去するために、ポリミキシンＢ（ペプチド抗生物質）親和性クロマトグラフィーが使用されている。ポリミキシンＢ親和性クロマトグラフィーは、内毒素除去で有効であるが、これらの親和性樹脂は標準的な発熱物質除去（ｄｅｐｙｒｏｇｅｎａｔｉｏｎ）法（例えば、エタノール中ＮａＯＨ）で洗浄することができない。また、処理流から汚染ＤＮＡのバルクを除去するためにもアニオン交換を用いてもよいが、ＤＮＡを受け入れ可能なレベルまで低減するためにポリッシュ工程を必要とする場合がある。一定の構造モチーフを有するペプチドは、高い親和力でＤＮＡに結合することが示されているため、最終的な宿主細胞ＤＮＡ除去に使用してもよい。金属親和性クロマトグラフィー（即ち、Ｎｉ親和性クロマトグラフィー）からの金属の汚染は、別の懸案領域である。金属は、ある種の条件下では酸化剤として機能可能であり、ヒスタジン（Ｈｉｓ）、トリプトファン（Ｔｒｐ）、及びメチオニン（Ｍｅｔ）等のある種の残留物を酸化することにより生物学的製剤を不活性化することができる。従って、金属イオンの除去は、ある種の生物学的製剤において生物学的有効性を保持するために必要であり、且つ高親和性ペプチドリガンドにより達成され得る。例えば、高親和性Ｎｉ結合ペプチドは、金属イオン除去を促進するために使用してもよい。ペプチドリガンドの選択性及び親和性以外の興味深い特徴としては、一般的な生物薬剤浄化法に対する安定性を構造内に設計できることが挙げられる。
【００１３】
ＴＭＡは、金属を含む種々の物質に対して有効な吸着体である。免疫樹脂に付着されたリン酸塩特異的ペプチド配列も、溶液のリン酸塩濃度を効果的に低減することがわかっている。ＴＭＡの化学構造は以下の表１に示され、３つのカルボン酸基を有するベンゼン環を含む。
【００１４】
【表１】
2013524949.tif 000003
【００１５】
ＴＭＡはアルミナと速やかに錯体を形成し、特にリン酸塩イオンの吸着を標的とした選択的吸着錯体を形成する。一実施形態では、アルミナと錯体を形成したＴＭＡは、吸着表面処理１４の間に既存の繊維１２に化学的にグラフトされ、吸着装置、又は吸着布地１０を作製することができる。アルミナと錯体を形成したＴＭＡ、及びそのままのＴＭＡのいずれも、任意の好適なプロセスにより市販のポリエステルフィルター布地上にグラフトすることができる。一実施形態では、カーバープレス（Ｃａｒｖｅｒ  ｐｒｅｓｓ）での加圧に限定されない、熱と圧力を用いた新規なプロセスにより、例えば超塩基性又は活性アルミナ等の任意の好適なアルミナと錯体を形成したＴＭＡを、既存のフィルター布地、布地基材、及び／又は入手可能な濾過カートリッジ上に化学的にグラフトしてもよい。別の実施形態では、新規な熱スプレー・プロセスにより、アルミナと錯体を形成したＴＭＡ又はアルミナのみを、既存のフィルター布地及び／又は入手可能な濾過カートリッジ上に化学的にグラフトしてもよい。さらに別の実施形態では、新規な大気プラズマ支援グラフト・プロセスにより、アルミナを有する又は有さないＴＭＡを、既存のフィルター布地及び／又は入手可能な濾過カートリッジ上に化学的にグラフトしてもよい。
【００１６】
一実施形態では、吸着表面処理１４は、ＴＭＡを単独で又はアルミナとともに、フィルター布地１２にグラフトするために、新規な加熱加圧プロセスを含むことができる。図２は、加熱加圧プロセスを適用して既存の布地１２を吸着布地１０に変換するための、一般に２０で表記される加圧装置の一実施形態を示す。一態様では、加圧装置２０は、カーバープレスを含むことができ、ハウジング２２と、少なくとも第一加圧プレート２４及び第二加圧プレート２６とを有し得る。フィルター布地２８は、加圧プレート２４と２６の間で、圧力Ｐを示す矢印によって示された方向に加圧されてもよい。カーバープレスは加圧プレート２４及び２６を任意の好適な加工温度まで加熱するための加熱供給源又は加熱モジュールを含むことができるため、加圧プレート２４及び２６によってフィルター布地２８等の布地基材に熱を加えることができる。この加圧加熱グラフト・プロセスの間に使用され得る材料としては、好適なフィルター布地２８、ＴＭＡ、アルミナ粉末、脱イオン水、メタノール、ポリマーバッグ、種々の混合用及び測定用容器、加圧装置２０を挙げることができる。
【００１７】
一態様では、フィルター布地２８は、ＰＥＴ医療用グレードフィルター布地を含むことができる。アルミナを有する又は有さないＴＭＡをフィルター布地２８と化学的にグラフトする際の第一工程は、ＴＭＡ溶液の調製であり得る。ＴＭＡ溶液は、フィルター布地２８にアルミナを含ませる又はコーティングする間に、同時に反応させることができる（以下にさらに説明する）。ＴＭＡ溶液を調製するには、蓋付きの容器内で５００ミリリットル（ｍＬ）のメタノールに２．５グラム（ｇ）のＴＭＡを添加することができる。２．５ｇのＴＭＡは２．５ｇのＴＭＡペレットを含んでもよい。ＴＭＡとメタノールは、撹拌、音波処理、振盪、又はこれらの組み合わせを含むがこれらに限定されない任意のプロセスを用いて、十分に混合することができる。２．５ｇのＴＭＡと５００ｍＬのメタノールを用いて調製された溶液を使用して、さらに以下の実施例の項目及び図５に記載されたデータ用に、６センチメートル（ｃｍ）×９ｃｍのフィルター布地２８の見本を処理した。ＴＭＡとメタノールの任意の好適な比率が使用可能である。次にＴＭＡ溶液を反応させる。一態様では、ＴＭＡ溶液は、アルミナでコーティングされたフィルター布地２８に取り込む前に、約６時間反応させることができる。一態様では、ＴＭＡは、以下に記載する第二工程の前に、アルミナ粒子と反応させることができる。即ち、ＴＭＡはアルミナ粒子と反応してもよく、アルミナ粒子と錯体を形成したＴＭＡは、次に、さらに記載されるように布地上に加圧されてもよい。
【００１８】
アルミナを有するＴＭＡをフィルター布地２８上に加圧装置２０を使って化学的にグラフトするための第二工程は、フィルター布地２８にアルミナ粉末を含ませることを含むことができる。この工程は、布地を切断すること、布地を粉末でコーティングすること、及び加熱された加圧装置２０で布地を加圧することを含む、一連の工程を含むことができ得る。フィルター布地２８は任意の好適な寸法又は所望の寸法に切断することができ、初期の質量を測定及び記録することができる。その間、加圧装置２０を摂氏５００度（℃）に予熱することができる。好適な量のアルミナ粉末を容器内に入れることができる。この場合、ＴＭＡは、アルミナが布地内に加圧された後に、アルミナと反応させることができる。アルミナ粉末の使用量は、フィルター布地の寸法に依存する。測定寸法が６ｃｍ×９ｃｍの布地見本を処理するため、例えば、以下の実施例の項目にて記載されるように、５ｇのアルミナ粉末を実験中に使用した。脱イオン水にフィルター布地２８を浸漬し、１０〜１５秒間完全に沈没させることができる。次に、フィルター布地２８を脱イオン水から取り出してアルミナ粉末の容器に入れ、粉末の容器内へフィルター布地２８を振盪又は撹拌することにより、フィルター布地２８に粉末を十分にコーティングすることができる。アルミナ粉末が布地の表面を実質的に満遍なく覆うと、フィルター布地２８は十分にコーティングされたと考えることができる。
【００１９】
さらに図２を参照すると、フィルター布地２８をアルミナ粉末でコーティングした後、次に、アルミナでコーティングされたフィルター布地２８を、加熱された加圧プレート２０の第一及び第二加圧プレート２４及び２６の間に配置してもよい。加圧プレート２４及び２６は、最初は、例えば、１キロパスカル（ｋＰａ）未満の極小圧力がフィルター布地２８上に加えられるように、加圧装置２０内に配置されるべきである。次に、加圧装置２０の圧力は、フィルター布地２８が加圧プレート２４及び２６の間において２０秒で約２０００ポンド／平方インチ（ＰＳＩ）まで加圧されるように上昇させることができる。その後、圧力は解放してもよく、フィルター布地を除去して冷却させることができる。次に加圧されたフィルター布地２８の質量を測定して記録し、布地上に含まれる吸着錯体の量を計算することができる。布地２８は、任意の好適な質量の吸着錯体を含むことができる。次に、フィルター布地２８を新鮮な脱イオン水の清浄な容器に浸漬させることができ、その後コーティング／加圧工程を任意の好適な回数繰り返してもよい。即ち、一態様では、フィルター布地２８の浸漬、アルミナ粉末中でのフィルター布地のコーティング、及び加熱された加圧装置２０内での布地の加圧の各工程は、少なくともさらに２回繰り返すことができるが、これに限定されない。
【００２０】
加圧装置２０内にてアルミナでコーティングされたフィルター布地２８を加圧する際、フィルター布地２８を容器内に置いてＴＭＡ溶液と反応させることができる。フィルター布地２８が完全に浸漬又は沈むように、布地を覆うようにＴＭＡ溶液を注ぐことができる。加圧されコーティングされたフィルター布地２８と、反応されるＴＭＡ溶液は、蓋をとじて、任意の好適な時間反応させてもよい。一態様では、コーティングされたフィルター布地２８と、反応されるＴＭＡ溶液は、約６時間蓋をした容器内で反応させることができる。その後、布地は取出され、所望により、厳密な洗浄工程を実施することができる。この洗浄工程は、数秒間脱イオン水中でのフィルター布地２８のすすぎ及び／又はこすり洗いを含み、すすぎ及びこすり洗いを複数回繰り返すことを含むことができる。一態様では、未反応の化学物質又は未グラフトの化合物を除去するために、すすぎのみを用いることができる。次に、フィルター布地２８を乾燥させることができ、最終質量を測定及び記録することができる。ＴＭＡ及びアルミナと化学的にグラフトされたフィルター布地２８の表面は、血液及び廃水を含むがこれに限定されない任意の好適な液体からリン酸塩等の不純物を吸着するために、単独で及び／又は他の装置と組み合わせて使用することができる。任意選択的に、フィルター布地２８は、例えば血液を透析するための透析器において使用される容易に入手可能なフィルターフィルター・カートリッジ内に配置及び／又は設置することができる。
【００２１】
さらなる態様では、図１の吸着表面処理１４は、既存の布地１２の表面又は基材を処理するための熱スプレー・プロセスを含むことができる。図３Ａ〜図３Ｅは、熱スプレー・プロセスによりアルミナ粒子３２とグラフトされた、一般に３０で表記されたフィルター布地等の布地基材のフィラメントを示す走査型電子顕微鏡（ＳＥＭ）画像である。図３Ａ及び３Ｂは、熱スプレーされた布地の初期試験を示す。図３Ｃ〜３Ｅは、最適化された熱スプレー・プロセス、例えばフィルター布地３０に付着する粒子３２を増やすために実験中複数回スプレーされた熱スプレー・プロセスを示す。非活性アルミナ及び／又は活性アルミナの熱スプレーを行うことが計画される。熱スプレー・プロセスによりＴＭＡとアルミナ粒子をグラフトすることは、いくつかの工程を含むことができる。第一工程は、固体酸化アルミニウム粉末供給原料を、高速高温の炎に約１ミリ秒（ｍｓ）投入することを含むことができる。粉末粒子は、炎の中にある約１ｍｓの間に溶融し、布地基材の方へ加速され得る。加速された粒子は、基材に衝撃を与えるため平坦化し、約５〜１０ｍｓで急速に固化し得る。このプロセスは、最終コーティングに向けて構築される基材全体にわたるロボット搭載炎ラスターとして、数百万回生じ得る。図３Ａ〜３Ｅは、僅かにコーティングされているレベルからしっかりとコーティングされているレベルまで、様々なコーティングレベルを示す。一態様では、熱スプレー・プロセスは、アルミナ粒子を既存の布地１２上にスプレーしてから、スプレーされた布地をＴＭＡ溶液で処理又は反応させる順次的工程を含む。別の態様では、熱スプレーの前にアルミナ粉末をＴＭＡで前処理し、アルミナ粒子と錯体を形成したＴＭＡが既存の布地１２上にスプレーされるようにすることができる。
【００２２】
図３Ａ〜３ＥのＳＥＭ画像は、ポリエチレンテレフタレートフィルター布地３０の織り合わせられた布地と、酸化アルミニウム付着物３２を示す。一態様では、非活性アルミナは小さい表面積からなり、リン酸塩吸着に適さない可能性がある。現在のところ、アルミナをフィルター布地上に化学的にグラフトするために用いられる熱スプレー技術は、活性アルミナをフィルター布地表面上に塗布することを含む。一態様では、活性アルミナは、高多孔性材料を生成するように水酸化アルミニウムを脱ヒドロキシル化することにより、水酸化アルミニウムから製造され得る。活性アルミナは２００平方メートル／グラム（ｍ／ｇ）を著しく超える表面積からなり、従って表面吸着３０にとって有利であり得る。
【００２３】
さらなる実施形態では、吸着表面処理１４は、ＴＭＡ、又はアルミナと錯体を形成したＴＭＡを、市販のフィルター布地にグラフトするための、新規な大気プラズマ支援グラフト・プロセスを含むことができる。図４は、大気プラズマ表面処理を行って、吸着化学基を受け入れるための布地表面を調製する、一般に４０で表記されるプラズマ生成装置を示す。既存のフィルター布地にガスプラズマ前処理を行うことにより、布地基材の反応性を高め、布地とＴＭＡ及び／又はアルミナ粒子と錯体を形成したＴＭＡとの間の共有結合に役立ち得る。一態様では、大気プラズマ表面処理プロセスにフィルター布地を曝した後、引き続いて、フィルター布地を、調製されたＴＭＡ溶液又はＴＭＡとアルミナの溶液と結合させることにより、グラフトを達成することができる。プラズマ生成装置４０は、第一及び第二の電極４２及び４４を含むことができる。プラズマ生成ガス４６は電極間を流れ、電源４８を介して電極４２及び４４間に生成される電気的バイアスに曝された際に一般に４７で表記されるプラズマ・バルクを確立することができる。布地基材４５は、電極４２及び４４間に配置されることにより、基材４５が大気プラズマ表面処理に曝された際に布地基材の反応性が高められる。次に、ガスは換気装置４９を通ってプラズマ生成装置から排出され得る。また、ＴＭＡ溶液の適用に引き続いて第二プラズマ処理を行うことによっても、グラフト収率を高め得る。大気プラズマの１つの利点は、連続した製造ラインを達成する能力であり、これによって、高処理量で、経済的、且つ環境に優しい生産プロセスを確立することができる。
【００２４】
上記のように、ＴＭＡ溶液及び／又はＴＭＡとアルミナの溶液を、プラズマ大気中で前処理されたフィルター布地に適用することができる。ＴＭＡ溶液及び／又はＴＭＡとアルミナの溶液は、好適な量のＴＭＡペレットをメタノール中で反応させ、次に任意選択的にアルミナ粉末上にこの溶液を注ぐことにより調製することができる。一態様では、布地基材４５は、医療用グレードフィルター布地、例えば、ニューヨーク州ＳｏｍｅｒｓのＳａａｔｉＡｍｅｒｉｃａｓ，ＰＥＳ製の織布ポリエステル単繊維を含むことができる。布地仕上げ後処理の共有結合のためのさらなる部位を創出するため、９９％ヘリウム、１％酸素の静電容量結合された誘電体バリア放電雰囲気下で１分以上布地基材４５を前処理することができる。その他の反応性ガスをＨｅに加えてもよく、あるいはＨｅのみをプラズマ媒体として使用してもよい。プラズマ前処理に続いて直ちに、布地をＴＭＡ溶液及び／又はＴＭＡ／アルミナ溶液に浸漬することができる。次に、布地基材４５は、任意に乾燥させ、メタノールを蒸発させることができる。次に、布地基材４５をプラズマシステム内で０．５、１、２、又は５分間（又は任意のその他の期間）再処理し、機能性化学物質（ＴＭＡ及び／又はＴＭＡ／アルミナ）を布地フィラメントの表面にグラフトすることができる。グラフト後、布地基材４５は、任意に、メタノール中で約２４時間すすがれ、余分な未反応の化学物質及び／又は粒子を除去することができる。布地は、吸着装置として使用される前に又は吸着システム内で使用される前に、室温又はオーブン内にて乾燥させることができる。
【００２５】
一態様では、別のリン酸塩吸着錯体は、水酸化アルミニウム沈殿物を含むことができる。フィルター布地、例えばＰＥＴ布地は、ヘリウム（Ｈｅ）プラズマ中で約５分以上の間処理を行い、湿潤性と表面機能性を向上させることができる。任意の好適なプラズマ組成が使用可能である。次に、脱イオン水中硝酸アルミニウム溶液を含有する容器内に布地を置くことができる。この溶液に、塩基、例えば水酸化ナトリウム又は水酸化アンモニウムを、ｐＨが９になるまで加え、水酸化アンモニウムを布地表面上に沈殿させる。試験を目的として、布地を脱イオン水中で３回洗浄し、７０℃のオーブンで１時間加熱することができる。
［実施例］
本明細書に記載された主題の実現可能な態様及び実施形態を示すため、以下の実施例を提供するが、これらに限定されない。しかし、当業者であれば、本開示と照らし合わせれば、記載された具体的な実施例及び実施形態に変更が可能であり、またそれでも本明細書に記載された主題の精神と範囲から逸脱することなしに同様の又は類似した結果が得られることを理解するであろう。
【００２６】
図５は、ＴＭＡ−アルミナ・グラフト布地に時間の経過とともに吸着された、例えば１０〜６０ｍｇ／Ｌのリン酸塩（ＰＯ4）の測定量を示す。試験布地は試験番号で表記される。試験された布地は、市販の、例えば、ニューヨーク州ＳｏｍｅｒｓのＳａａｔｉＡｍｅｒｉｃａｓ，ＰＥＳ製の織布単繊維フィルター布地である。以下の表２は、図５に相当するデータの少なくとも一部を含む。ＴＭＡ−アルミナ・グラフト布地は、フィルター布地と接触した溶液から約１０〜６８％のリン酸塩を吸着する能力を実証した。
【００２７】
【表２】
2013524949.tif 000004
【００２８】
ＴＭＡ−アルミナ・グラフト布地（厳格な洗浄法を適用）のリン酸塩吸着分析の結果
様々なアルミナ粉末配合物のリン酸塩吸着分析の結果を以下の表３に示す。アルミナ粉末は、初期溶液から約９９％のリン酸塩を吸着する能力を実証した。トリメシン酸は、前述のプロセスを用いることにより、アルミナ微小粒子上に吸着され得る。活性化された形態の標準的な塩基性アルミナを用いて、ＴＭＡ／アルミナの予備研究を行った。「超」塩基性活性アルミナ（表面積２００ｍ2／ｇ）を使用することで、吸着を増進することができる。
【００２９】
【表３】
2013524949.tif 000005
【００３０】
様々なアルミナ粉末配合物のリン酸塩吸着分析の結果
また、吸着装置１０は、選択された一連のペプチド配列を、例えばポリエステル等の既存の布地基材と反応させることにより、変換することもできる。一態様では、選択された一連のペプチド配列を、ポリエステルフィルター布地、又は布地に結合された多孔性ポリメチルメタクリレート数珠状樹脂のいずれかと反応させることができる。ペプチド配列は、布地に直接合成するか、或いは樹脂ビーズに結合させることができ、又は合成後に布地表面にグラフトすることができる。市販の遊離アミノ基を有する樹脂ビーズを選択することができ、この樹脂ビーズは、自動ペプチド合成装置（図示せず）内でＦＭＯＣ化学物質によりペプチドを合成するための優れた基材を提供することができる。ペプチド／樹脂連結は共有結合であり、標準的な９５％トリフルオロ酢酸処理により新たに合成されたペプチドを脱保護した後、樹脂／ペプチドは免疫吸着体として直接使用することができる。これらの樹脂は、固相ペプチド合成で用いられる典型的なポリスチレン樹脂と異なり、非常に水と親和性があり、水性実験室用緩衝剤中の免疫吸着体として使用することが可能である。
【００３１】
一実施形態では、選択されたテトラ−及びペンタ−ペプチド類は、多重ペプチド合成装置を用いて、合成、浄化、及び認定することができる。配列は、任意に、既存の布地１２との反応前に合成することができる。選択されたテトラ−及びペンタ−ペプチド類だけでなく、天然タンパク質中でこれらのペプチドに隣接して位置するアミノ酸配列も含有する、第二の一連のペプチドを合成することができる。ペプチド配列を介した吸着を使用してリン酸塩試験液から吸着されたＰＯ4の割合の様々な結果が図６〜８に示される。例えば、以下の表４に特定されたペプチド配列は、リン酸塩選択的結合部位を有するペプチド配列についての結果をまとめたものであり、そのデータは図７及び８に少なくとも部分的に表示されている。
【００３２】
【表４】
2013524949.tif 000006
【００３３】
合成ペプチド配列例のリン酸塩分析と、初期リン酸塩濃度５０ｍｇ／Ｌでの各配列の吸着能力の集合的結果
上の表４は、選択された合成ペプチド配列のリン酸塩分析と、初期リン酸塩濃度５０ｍｇ／Ｌでの各配列の吸着能力の集合的結果を含む。明確にするため、共通の配列は同じ配列認識番号を有する。例えば、ＧＫＳＡ（配列ＩＤ番号３）は、ＧＫＳＡ  １（配列ＩＤ番号３）と同じ配列認識番号を有する。「１」は別に合成されたバッチ番号を示している。接頭辞「ａｃ」は、アセチル化ペプチド配列を意味する。リン酸塩分析は、周知の量のペプチド・グラフト樹脂ビーズを装填したクロマトグラフィーカラムにリン酸塩溶液を流した後に行われた。
【００３４】
一実施形態では、ペプチドは、メタクリレート系樹脂ビーズを含有するアミノ酸上で合成してもよい。一例として、図６は、「裸の」樹脂を用いたリン酸塩除去（６７％）の非特異性に比べ、特定のペプチド配列（例えば、ＧＴＴＹ、配列ＩＤ番号９）によってこの具体的な溶液中の約４６％のリン酸塩が除去できることを示している。
【００３５】
図６〜８は、樹脂ビーズ上に合成された各ペプチド配列の吸着能力を示す。図６は、メタクリレート系樹脂ビーズを含有するアミノ上で合成された合成ペプチド配列の試験結果を示す。結果は、ＧＴＴＹ（配列ＩＤ番号９）とＧＫＳＡ（配列ＩＤ番号３）の変形のリン酸塩吸着能力が最も高いことを示している。図７は、ＧＫＳＡ（配列ＩＤ番号３）変種のペプチド配列に関するリン酸塩吸着分析の結果を示す。結果は、ＫＧＧＶＧＫＳＡ（配列ＩＤ番号１）が初期濃度５０ｍｇ／Ｌの試験液から１００％のリン酸塩を吸着したことを示した。図８は、周囲アミノ酸を有する及び有さない基本ペプチド配列上のリン酸塩吸着の集合的結果を示す。任意の好適なペプチド配列が本明細書で検討される。
【００３６】
一実施形態では、図６〜８により示されたデータを生成するために用いられたペプチド配列は、例えば織布ポリエステル単繊維の医療用グレードフィルター布地等の市販のポリエステル・フィルター布地上に、そのままグラフトするか、又は樹脂ビーズに付着させてグラフトすることができる。アミノ酸は、グラフトするために、基材表面上にアミン基の存在を必要とする。ガスプラズマ処理とエチレンジアミン（ＥＤ）アミノリシスにより、ポリエステル表面上にタンパク質をグラフトするためのアミン部位を創出することができる。ガスプラズマ前処理は、布地基材の反応性を高め、表面処理の共有結合に役立ち得る。一態様では、布地サンプルは、約９９％ヘリウムと１％フォーミングガス（酸素（５．７％以下）と窒素の混合物）の静電容量結合された誘電体バリア放電中で約５分間処理することができる。任意の好適なプラズマ組成が使用され得る。この処理により、布地仕上げ後処理の共有結合のためのさらなる部位を創出することができる。ガスプラズマ処理の代わりに、ｐＨ１０の０．０５モル（Ｍ）ＥＤ溶液中に布地サンプルを約２時間入れておくことができる。余分なＥＤ溶液を除去して反応を停止させるために、サンプルを氷冷の脱イオン水中ですすぐことができる。サンプルは、ドラフトチャンバー内にて室温で乾燥させることができる。表面改質後、ペプチド吸着化学物質溶液に浸漬し、ニップして余分な化学物質を除去することにより、布地をグラフトすることができる。布地サンプルは、２４時間溶媒中で完全にすすいで余分な未反応化学物質及び／又は粒子を除去し、ドラフトチャンバー内にて室温で乾燥させることができる。処理の前後に布地の重量を量り、化学的グラフトによる重量増加を決定することができる。
【００３７】
一実施形態では、ペプチド合成の出発樹脂は、アミノ含有メタクリレート系樹脂を含み得る。最初に、アミノ含有メタクリレート系樹脂ビーズ上でペプチドを合成することができる。興味のあるペプチドを樹脂表面から僅かに離し、若干の運動の自由度を有する独特の立体配座を自由に適用するために、樹脂上でカルボキシル末端ジ−アラニンを用いて合成することができる。例えば東ソー製の、アミノを取り込んだ樹脂は、非常に水と親和性があり、表面アミノ基により、酸安定性供給結合で樹脂上にて直接ペプチド合成が可能となり、これらの樹脂を複数回再利用することができるようになる。これらの樹脂により、ミリモル規模でのペプチド合成が可能となり、種々の条件下でのリン酸塩結合能力の高速な評価が可能となる。１つの形態の対照として、テトラ−又はペンタ−ペプチド類の代わりに、正荷電アミノ酸（リシン及び／又はアルギニン）を樹脂の表面上に調製することができる。水で洗浄し水と混合して３０〜４０％のスラリーとすることにより、親和性カラム用のペプチドビーズ生成物を調製することができる。
【００３８】
溶液フロースルー中に対するクロマトグラフィーカラムに結合されたリン酸塩の量により、引き続き行われるリン酸塩結合実験用に最も効率的なペプチドを選択することができる。ポリエステル・フィラメント上に直接ペプチドを合成する能力は、これまで実証されていない。代替的な戦略としては、配列を布地に結合させる前に配列を合成することが挙げられる。さらに、樹脂ビーズの表面積はポリエステル布地のみの場合よりかなり大きいため、リン酸塩吸着を最大化させるために、ポリエステルフィルター布地上にＴＭＡ／ＡＩ錯体を固定するために用いられる方法を、処理済ビーズで繰り返すことができる。
【００３９】
リン酸塩吸着を試験するため、例えば、図５を作成するために試験するため、ＴＭＡをグラフトした織布サンプルを約０．５ｇの見本に切断することができる。これらの見本をそれぞれ、例えば、異なるリン酸塩濃度のリンガーの乳酸溶液等のリン酸塩溶液を５０ｍＬ含有する１００ｍＬスクリューキャップ付きバイアルに置いた。１０〜２４０分の試験時間でリン酸塩溶液から布地サンプルを引き上げ、吸着されたリン酸塩量を計算した。ペプチドについては、ペプチドがグラフトされた樹脂ビーズを周知の量で装填したクロマトグラフィーカラムにリン酸塩溶液を流した後にリン酸塩分析を行った。一実施形態では、リン酸塩の吸着能力（ｑ）は、式１を用いて計算される。
式１：  ｑ（ｍｇ／ｇ）＝［量ＰＯ4 initial−量ＰＯ4 time-x］／［グラフトによる布                                地の質量増加］
この計算により、吸着効率（％）対時間のグラフを作成することができる。吸着等温線もプロットでき、式２を用いてデータをラングミュア等温線で分析した。
【００４０】
式２：  ｑe＝（ＱmｂＣe）／（１＋ｂＣe）
この式において、ｑeは平衡吸着量であり、Ｃeは平衡リン酸塩濃度であり、Ｑmは最大取り込み量であり、ｂはラングミュア結合定数である。異なる回帰法を使って吸着データに対するラングミュアモデルの適合度を評価した。これにより、偏りが最も少ないパラメーター推定値を微分できるであろう。
［吸着装置及びシステムの非限定用途］
図９〜１２は、本明細書にて記載された吸着装置、システム、及び方法の様々な非限定用途を示す。図９は、例えば、廃水、水、体液又は血液等の、汚染された供給源５２を処理するための、一般に５０で表記されるシステムを示す。任意の好適な汚染された供給源５２が計画される。汚染された供給源５２は、汚染された供給源５２が吸着布地５６の厚み又は表面を通過する際、濾過された生成物５４に変換され得る。吸着布地５６には、例えば汚染された供給源５２中のリン酸塩イオン等の望ましくない物質に選択的に結合するための吸着錯体５８を付着させることができる。一実施形態では、吸着錯体５８は、先に記載したように、アルミナを有する又は有さないＴＭＡ、アルミナのみ、合成されたペプチド配列、又は水酸化アルミニウム沈殿物であり得る。吸着錯体５８は、汚染された供給源５２から、望ましくない濃度のリン酸塩イオン等の望ましくない物質を、選択的且つ永久的に吸着し得る。例証の目的のために、吸着錯体５８は、目に見える錯体として概略的に示されている。しかし、これらの錯体５８は、粒子であるか否かを問わない。一実施形態では、吸着錯体５８は、裸眼又は顕微鏡でも見ることのできない化学反応物質を含むことができる。吸着錯体５８は、布地又はその他の基材の表面上にグラフトされる又は吸収される分子化合物を含むことができる。
【００４１】
図１０は、血液からリン酸塩を除去するための血液吸着装置をさらに備えた、一般に６０で表記される血液透析システム又は回路を示す。現時点では、リン酸塩を選択的に除去できるリン酸塩選択的血液フィルター布地は市場にない。本明細書にて開示された装置は、高容量結合によりその表面に血中リン酸塩を選択的に吸着し、且つ市販の濾過装置又はシステムに組み込むことができる、全血フィルター布地を含むことができる。若干の濾過を提供する既存の装置、例えば、血液透析器は、単純な拡散により若干のリン酸塩を除去することができる。処理された布地に結合するリン酸塩のレベルは、吸着化学基の表面積に対する比率に基づき、吸着装置で調整することができる。この設計は、既存の全血濾過の知識を利用するものであり、且つ血球の付着又は損傷を最小限に抑えるために設計された市販のフィルター布地を採用する。既存の濾過装置及びそのプロセスを上回る利点としては、例えば、リン酸塩除去のメカニズム（吸着対単純な拡散）、リン酸塩濾過投与量を処方する可能性、及びより大きなリン酸塩負荷を除去する能力が挙げられるが、これらに制限されない。全体的な長期的成果としては、リン酸塩制御の向上及びそれに伴う全身リン酸塩負荷の低減により、血液透析患者の死亡率が低減され得る。
【００４２】
図１０を参照すると、血液透析回路又はシステム６０は、血液透析患者からの血液を透析するための、体外血液回路を含むことができる。高リン血症血液透析被検者又は患者のためのインライン血液濾過／血液吸着装置が計画される。システム６０は、回路に沿って配置された、血液を処理するための様々な装置を含むことができる。これらの装置は、システム６０に血液を連続的に流すための１つ以上のストランドの血液管６２によって接続される。血液は、患者の体から、例えば被験者の腕Ａから、血液管６２へ連続的に抽出され、矢印で示した方向にシステム６０中を流れ、１つ以上の装置を使って処理及び／又は監視され得る。その後、処理された血液は、血液管６２を使って患者の体に連続的に戻すことができる。
【００４３】
システム６０は、回路を流れる血液に伴う様々な圧力を監視するために回路全体の様々な地点に配置された、１つ以上の圧力モニター６４を含むことができる。例えば、システム６０の第一の圧力モニター６４は、動脈圧を測定するために、腕Ａから血液が抽出される箇所に近接した血液管６２に沿って配置することができる。動脈圧は、使用される血液透析機及び血液管の種類によって、ポンプ前（図示）又はポンプ後で監視することができる。ポンプ前対ポンプ後の動脈モニターの圧力読み取り値は、血液透析治療及び／又は患者のアクセスに関する異なる情報を提供し得る。例えば、システム６０の第一の圧力モニター６４を使用して、動脈血管アクセス及び凝固問題を特定してもよい。
【００４４】
システム６０は、システム６０内の血液の循環を制御する血液ポンプ６６を含むことができる。血液の凝固を予防するために透析器７０を通過する前に体から排出された血液にヘパリンを注入するために用いられるヘパリンポンプ６８を使って、血液透析回路に沿って流れる血液を処理することができる。透析器７０は、血液を透析にかけ、且つ任意の好適な種類の透析器を含むことができる。例えば、透析器７０は、コイル型、平板型、積層型、中空繊維、連続血液フィルター、又は透析液を用いるか否かを問わない当技術分野において周知の任意のタイプの透析器を含むことができる。一つの好ましい実施形態では、透析器７０は、血液及び透析液を透析器に同時に連続して流すように構成される。一実施形態では、透析液は、透析器７０を下部通路７３から上部通路７１に流れてもよい。透析液は老廃物を吸収し、その後上部通路７１を通って排出され処分され得る。当技術分野において周知のように、透析液と血液は、血液透析器システム内で反対方向に流れてもよい。
【００４５】
特に、本明細書に記載された新規な主題による吸着装置７２は、透析器７０の上流及び／又は下流に配置され、血液が透析器７０を通過して透析にかけられる前又は後のいずれかで血液を処理することができる。一実施形態では、吸着装置７２は、独立型装置（図１１及び／又は１２）を含むことができ、又は透析器７０（図１０）内に分離した部分として配置するか、或いは血液が透析器７０と同時に吸着装置７２を通過できるように透析器７０と一体形成してもよい。吸着装置７２及び透析器７０は、吸着装置７２と接触する血液及び／又は透析液から物質又は不純物を除去するために構成することができる。一実施形態では、吸着装置７２は、血液からリン酸塩を選択的に除去するために、リン酸塩吸着錯体と化学的にグラフトしたフィルター布地を含むことができる。血液は、吸着装置７２及び透析器７０を通過するか、又は透析器７０から吸着装置７２に流れて純化されると、次にエアートラップ７８及び検出器８０を通過し、その後患者の腕Ａに連続的に戻される。
【００４６】
本明細書に記載された吸着錯体で処理された布地サンプルは、血液回路システム内で試験してもよい（例えば、図１０）。図１０は、吸着布地装置を追加して用いる場合に評価され得る典型的なヒト血液透析回路を示す。血液透析回路では、動脈血は、ポンプにより透析器に流され、その後静脈血として患者に戻すことができる。血液透析回路は、ＥＳＲＤ血中リン酸塩濃度１０〜５０ｍｇ／Ｌを真似て調製されて吸着装置を通過するブタの貯蔵全血を使って試験することができる。血液は、実験中は生理学的ｐＨ（７．４）及び温度（３７℃）にて維持され、ペンシルバニア州ピッツバーグのフィッシャー・サイエンティフィック（Ｆｉｓｈｅｒ  Ｓｃｉｅｎｔｉｆｉｃ）製ポンプ等の流量可変蠕動ポンプによって循環させることができる。１５０Ｕ／時間の一定のヘパリン注入は、マサチューセッツ州ホリストンのＫＤ  Ｓｃｉｅｎｔｉｆｉｃ社製ポンプ等の輸液ポンプにより維持され、透析器及びリン酸塩血液フィルター内での凝固を防止することができる。カリウム及びカルシウムを含有する標準的な重炭酸透析液を調製し、これを流量可変蠕動ポンプで血流方向の向流方向に透析器を通過させることができる。血液サンプルは、０、３０、６０、１２０、１８０、及び２４０分に、又は任意の好適な間隔で、血液吸着装置（例えば、図１０の７２）を通過する前と後に収集することができる。以上の研究から吸着データを計算することができる。
【００４７】
一般に９０で表記される吸着装置の一実施形態は、図１１に示される。吸着装置は、任意の好適な汚染された液体が通過可能な入口９２と出口９４を含む。吸着装置９０は、吸着錯体で処理されたフィルター布地９６を含むことができる。フィルター布地９６は、装置ハウジング９８内に密閉することができる。フィルター布地９６の拡大図は、吸着錯体１０２が付着した布地フィラメント１００を示す。吸着錯体１０２は、布地又は任意のその他の好適な基材のフィラメント１００に化学的にグラフト又は合成することができる。吸着装置９０は、任意の好適なサイズ又は形状及び配向を含み、液体が通過できる入口９２と出口９４を有することができる。吸着装置９０は、血液、廃水、体液、又は不純物もしくは汚染物質の除去が望まれる任意の液体を濾過するために構成することができる。
【００４８】
一実施形態では、吸着装置９０を用いて血液を選択的に濾過することにより、ＥＳＲＤ患者の高リン血症を予防及び治療することができる。例えば、血液を透析する前又は後に血液からリン酸塩等の材料を選択的に除去するために、透析器７０（図１０）等の透析器の上流及び／又は下流に吸着装置９０を配置することができる。フィルター布地表面に結合された吸着体又は吸着錯体は、他の血中電解質又は他の血中化学化合物の濃度にほとんど又は全く影響を及ぼすことなく、リン酸塩イオンを選択的に除去するように設計することができる。その他のリン酸塩濾過技術としては、イオン交換樹脂や、炭素等の非選択的吸着体が挙げられる。イオン交換樹脂は、リン酸塩を消費しその他の血中電解質を放出する化学反応によって機能する。これにより、特に潜在的な電解質及び酸塩基異常を有する場合が多い血液透析患者に関して、血液の化学的性質が場合により危険なものに変化する。非選択的吸着体は、微視的細孔におけるイオンの化学的ではなくむしろ物理的な吸着に依存し得る。活性炭は、表面対体積比が非常に高い優れた吸着体であるが、イオン特異的ではない。吸着装置９０又は代替吸着体によって微量金属濃度に悪影響が及ぶ場合、透析中又は透析後にそれらを血流に戻すこともできる。吸着装置９０は、選択的血中リン酸塩吸着を提供する、独立型の１回用又は多数回用のインライン血液濾過装置を含むことができる。インライン血液濾過装置は、既存の血液透析回路（図１０）内に容易に組み込まれ且つさらなる処理又は監視装置を必要としない既製の装置を含むことができる。吸着装置９０は、独特のリン酸塩選択的吸収率を含み、透析のみで又は食事制限或いは薬剤との組み合わせによって提供されるものを超える血中リン酸塩レベルの顕著な低下を提供する。この新規な装置は、素早い配置、使用の容易さ、及び簡便な破棄を提供することができる。血液は、血液透析中に処方される典型的な速度（５００〜８００ｍＬ／分）でポンプにてフィルター９６を通過することができ、さらなる濾過又は処理なしに患者に直接戻される。
【００４９】
一実施形態では、吸着装置９０は、カートリッジに形成され且つ透明のプラスチック・フィルター・ハウジング９８内に収容される表面増強フィルター布地９６を含むことができる。本明細書に記載された装置及びシステムは、例えば、リン選択的吸着仕上げ１００を有する医療用グレードフィルター布地である吸着布地１２と、フィルター・カートリッジ・フォームと、プラスチックフィルター・ハウジング装置９８であり得る３つの主要構成要素、及び単一装置である透析器７０のようなフィルター・システム内に組み込まれるフィルターを含むことができる。本明細書に記載されたフィルターは、既存のフィルター・ハウジング内に容易に取り替え可能であり、且つリン酸塩結合技術を低コストで素早く導入することを可能にする。さらに、本明細書に記載されたフィルターは、引き続き再利用するために除去、洗浄、及び滅菌される能力を有する。吸着装置９０に関しては、組立てるための部品はない。装置全体は自蔵式であり、既存の透析回路及びシステムと接続するように設計される。血液は、血液透析中に処方される典型的な速度（５００〜８００ｍＬ／分）でポンプにてフィルターを通過することができ、さらなる濾過又は処理を行わずに患者に直接戻される。
【００５０】
図１２は、一般に１１０で表記されるフィルター・システムを示す。一態様では、フィルター・システム１１０は血液を濾過する。フィルター・システム１１０は、矢印で示した方向に液体が流れる入口１１２と出口１１４を含むことができる。フィルター・システム１１０は、フィルター・カートリッジ、又はフィルター１１８を取り囲むハウジング１１６を含むことができる。フィルター１１８の表面は、吸着錯体で予め処理して、望ましくないイオン又は粒子が吸着可能にすることができる。一態様では、フィルター・システム１１０は、平板設計の吸着装置を含む。フィルター・システム１１０は、吸着装置９０について説明したものと同様の独立型の装置を含む。システムは、フィルターフィルター・カートリッジ１１８とハウジング１１６を含むことができる。
【００５１】
第二実施形態では、システム１１０は、一体型のフィルター１１８が取り付けられた透析器を含むことができる。このため、図１０に記載されている回路における透析器７０として使用することができる。フィルター・システム１１０は、当該技術分野において周知の任意の好適な透析器を含んでもよい。このような透析器としては、平板透析器、連続血液透析器、又は中空繊維透析器が挙げられるがこれらに限定されない。透析は、半透膜を介した溶質の拡散と液体の限外濾過の原理に基づいて機能する。血液は半透膜の片側に沿って流れ、透析液、又は特別な透析液体は反対側に沿って流れることができる。一態様では、システム１１０は、拡散勾配によって血液中に存在する老廃物を除去する透析液を通過させる入口通路及び出口通路１２２及び１２４を含む。しかし、このような通路１２２及び１２４は、任意であり、必要でない場合もある。フィルター１１８は、リン酸塩吸着錯体のような吸着錯体を受け入れるために化学的にグラフト又は反応された半透膜布地膜を含み得る。フィルター１１８は、布地と接触する血液及び／又は透析液からリン酸塩を選択的に吸着してリン酸塩を除去することができる。
【００５２】
一態様では、フィルター９６及び１１８は、ＴＭＡ、アルミナ、又は吸着タンパク質及びペプチド配列等の吸着錯体をポリエステルの表面上に化学的にグラフトするために先に説明した任意の方法を使って処理された、カートリッジに形成されたポリエステルフィルター布地を含むことができる。吸着体（ＴＭＡのみ、ＴＭＡ／アルミナ、アルミナのみ）は、定量に従ってグラフトさせ、プラスチックのハウジング内に挿入することができる。フィルター装置は、血液透析中にリン酸塩を選択的に吸着するために、血液透析回路内に組み込むことができる。当該技術分野において周知の平板透析器の物理的設計に少なくとも類似した装置内にフィルター１１８を組み込み、処理された布地を装置又はシステム内で十分に使用できるようにする。
【００５３】
リン酸塩の選択的吸着は、排水処理に関する環境問題に対処する手段として模索されてきた。ある種の有機化合物が、種々の金属イオンの有効な吸着体であることが示されてきた。多数の金属酸化物は、これらの化合物と強力な錯体を形成し、且つ化学作用のための固体支持体を提供するために用いることができる。これらの錯体は、流出物に対する選択的リン酸塩濾過を達成するために使用されてきた。リン酸塩吸着錯体は、医療用グレードのポリエステルの表面上に永久的に固定され得り、最適な吸着量を達成することができる。リン酸塩吸着制御は、フィルター布地表面積に対する吸着化学物質群の比率により調整可能である。従って、吸着フィルター９６又は１１８は、様々な吸着「強度」を含むことができる。基材布地は、血球の付着又は損傷を最小限に抑えるように設計することができる。透析済血液は抗凝固薬剤（例えばヘパリン）で処理されるため、布地を灌流した際の血液接触活性化又は血栓形成の現象を最小限に抑えることが期待される。ヘパリン処理された血液を布地に４時間曝した際の予備データでは、血栓形成の証拠は実証されなかった。
【００５４】
一実施形態では、フィルター９６及び１１８の表面に結合した吸着錯体又は薬剤は、リン酸塩イオンのみを選択的に除去し、血中電解質の濃度を変化させないように設計することができる。その他のリン酸塩濾過技術としては、イオン交換樹脂や、炭素等の非選択的吸着体が挙げられる。イオン交換樹脂は、リン酸塩を消費しその他の血液電解質を放出する化学反応によって機能する。従って、特に血液透析患者は潜在的な電解質及び酸塩基異常を有する場合が多いため、血液の化学的性質は場合により危険なものに変化する。非選択的吸着体は、微視的細孔内におけるイオンの化学的ではなくむしろ物理的な吸着に依存する。例えば、活性炭は、表面対体積比が非常に高い優れた吸着体であるが、イオン特異的ではない。フィルター９６及び１１８は、イオン交換に依存しない、むしろ正常血液ｐＨ（７．４）及び温度で生じるリン酸塩と吸着体の単純な分子会合である、頑丈な吸収表面を含むことができる。結合される吸着体の例としては、ＴＭＡのみ又はアルミナ粒子と錯体を形成したＴＭＡ、又はアルミナ粒子のみが挙げられる。その他の結合される吸着体としては、任意の好適なペプチド配列又は水酸化アルミニウム又は水酸化アルミニウム沈殿物が挙げられる。吸着体は、吸着化学物質を含有する溶液に布地基材を曝す前、後、又は前後両方のいずれかにおいて、大気プラズマ処理によりグラフトされてもよい。吸着体を結合させる任意の好適なプロセスは、本明細書中の開示によって認識される。
【００５５】
汚染された液体を濾過する方法は、図１３に示される。本方法は、布地基材を処理して吸着性にすることを含む。これは、ポリエステル又は任意の好適な布地上に、アルミナ粒子を有する又は有さないＴＭＡを化学的にグラフトすること、又はペプチド配列を合成することを含むことができる。一態様では、熱スプレーを使用して布地を処理することができる。別の態様では、加圧装置を使用することができる。さらに他の態様では、ペプチド合成装置及び大気プラズマを使用して、水溶液から不必要な物質を吸着するように布地を処理することができる。本方法は、ブロック１３２において、汚染された供給源を処理済布地と接触させることをさらに含むことができる。汚染された供給源は、処理済布地にポンプで送り、処理済布地を通過させ、又は浸漬させることができる。液体を処理済布地と接触させる任意の好適な方法を使うことができる。本方法は、ブロック１３４において、処理済布地上に望ましくない粒子又はイオンを吸着させることをさらに含むことができる。好ましくない粒子は、処理済布地の表面上の吸着錯体上に吸着させることができる。一態様では、アルミナを有する又は有さないＴＭＡを使用して、血液又は廃水からリン酸塩を吸着することができる。同様に、リン酸塩結合タンパク質を含むペプチド配列を使用して、血液又は廃水からリン酸塩を吸着することができる。
【００５６】
要約すると、選択的吸着表面化学物質の織物ベース濾過材料への適用は、非選択的薬剤又はその他の選択的薬剤の吸着に適合させることができる。本明細書に記載された方法は、一連の湿式化学及び／又は大気プラズマ処理を用いて布地表面を調整することにより吸着錯体を受入れ及び結合させることができるとともに、熱処理を用いてこれらの錯体を永久的に結合させることができる。吸着錯体は、アルミナ粒子に結合されたＴＭＡ、又はそのままの又はポリメチルメタクリレート樹脂ビーズに結合された選択されたアミノ酸配列のいずれかにより構成することができる。ガスプラズマ前処理は、布地基材の反応性を高めることができ、且つ化学的に活性な置換基又はフリーラジカルのいずれかを創出することによりポリマー基材に化合物を共有結合又はグラフトさせるのに役立ち得る。一実施形態では、吸着粒子とグラフトされた織物ベース濾過材料を使用して、血液からリン酸塩を濾過することができる。他の態様では、濾過材料は、敗血症／敗血症性ショック及び急性肝臓疾患の治療に使用することができる。家庭用廃水中のリン酸塩は、湾や湖における主要な有機汚染源である。生物学的処理プロセスは、固体リン酸塩除去においては有効ではなく、さらなる選択的リン酸塩濾過技術が必要である。さらに、排水からのリン酸塩回収は、世界的なリン酸塩資源の急速な枯渇に対する潜在的な解決策である。本明細書にて開示された、処理又はグラフトされた布地は、この緊急の環境問題に対する単純且つ革新的な解決策を提供することができる。
【００５７】
本明細書に記載された吸着装置、システム、及び方法は、医者、患者、及び環境に利益をもたらす。医者は、患者に対して、血中リン酸塩標的に問題なく到達させる責任を負う。本明細書に記載された装置及びシステムは、心臓血管及び栄養の両方の観点から患者の成果を向上させることができ、医者はその他の健康問題に集中することが可能となろう。吸着布地を透析装置及び／又はシステムに組み込むことにより、服薬遵守が劇的に向上し、患者にとってコストが顕著に削減され、且つ血中リン酸塩レベルが顕著に低下しその管理が改善され得る。コストの利点としては、リン酸塩結合剤とビタミンＤサプリメントのコスト削減、並びに全体的な削減が挙げられる。リン酸塩レベルによる入院も回避することができる。リン酸塩結合は、ｐＨを高い数値に調節することにより、即ち塩基性溶液（例えば水酸化ナトリウム、ｐＨ１０）で洗浄することにより、逆転させることができるため、本明細書に記載された装置及びシステムの潜在的「グリーン（環境保護）」特性は、ＴＭＡ／アルミナで処理された布地の再利用である。本明細書に記載された技術の別の重要な利点は、患者の服薬遵守の向上である。これは、本明細書に記載された吸着装置及びシステムを、透析手順と平行して、週３回の血液透析セッションに組み込む結果である。血清リン酸塩レベルは、患者の食事制限及び薬物治療の遵守などの制御が困難な要因に依存しないであろう。
【００５８】
図面に示され上述された本開示の実施形態は、添付の特許請求の範囲の範囲内で行うことのできる数多くの実施形態の例である。吸着装置、システム、及び方法の構成は、本明細書にて具体的に開示されたもの以外の数多くの構成を含むことができると考えられる。
【図１】
2013524949.tif 000007
【図２】
2013524949.tif 000008
【図３Ａ】
2013524949.tif 000009
【図３Ｂ】
2013524949.tif 000010
【図３Ｃ】
2013524949.tif 000011
【図３Ｄ】
2013524949.tif 000012
【図３Ｅ】
2013524949.tif 000013
【図４】
2013524949.tif 000014
【図５】
2013524949.tif 000015
【図６】
2013524949.tif 000016
【図７】
2013524949.tif 000017
【図８】
2013524949.tif 000018
【図９】
2013524949.tif 000019
【図１０】
2013524949.tif 000020
【図１１】
2013524949.tif 000021
【図１２】
2013524949.tif 000022
【図１３】
2013524949.tif 000023
【配列表】
2013524949000001.app
【国際調査報告】
2013524949.tif 000024
2013524949.tif 000025
2013524949.tif 000026
2013524949.tif 000027